(57)【特許請求の範囲】
【請求項１】
第１の通信チャネルまたは第２の通信チャネルを介してデータを受信するように構成された受信機と、
第１の通信ネットワークの第１のネットワーク通信施設による第１のデータの送信が、第２のネットワーク通信施設による第２のデータの送信に重複する期間の第１の部分において、前記受信機が前記第１の通信チャネルを介して前記第１のネットワーク通信施設から第１のデータの一部を受信し、かつ、前記期間の第２の部分において、前記受信機が前記第２の通信チャネルを介して第２のネットワーク通信施設から第２のデータの一部を受信し、前記期間の第１の部分と前記期間の第２の部分とは同一期間に含まれるとともに重複せず、前記期間の第１の部分において受信される第１のデータの前記一部が第１の所定の基準を満たすように、前記受信機を制御するよう構成された制御器とを備え、
前記期間の第１の部分は、前記期間の第２の部分に先行し、
前記制御器は、前記第２のデータの前記一部が第２の所定の基準を満たす場合、前記第１のネットワーク通信施設からの第３のデータの送信が前記第２のネットワーク通信施設からの第４のデータの送信に重複する、さらなる期間の第１の部分において、前記受信機が前記第４のデータの一部を受信し、かつ、前記さらなる期間の第２の部分において、前記受信機が前記第３のデータの一部を受信し、さらに、前記さらなる期間の第１の部分と前記さらなる期間の第２の部分とは重複せず、前記さらなる期間の第１の部分が前記さらなる期間の第２の部分に先行するように、前記受信機を制御するようにさらに構成されており、
前記第２の所定の基準は、前記第２のデータの前記一部が前記第２のデータを再構築するのに十分ではないという基準、または、前記第２のデータの前記一部のデータ量が所定の閾値未満であるという基準であることを特徴とする、通信端末。
【請求項２】
前記第１のデータの前記一部から前記第１のデータを再構築するように構成された復号器をさらに備えた、請求項１に記載の通信端末。
【請求項３】
前記第２のデータの前記一部から前記第２のデータを再構築するように構成された復号器をさらに備えた、請求項１に記載の通信端末。
【請求項４】
前記第１のデータが前記第１の通信ネットワークの制御データである、請求項１に記載の通信端末。
【請求項５】
前記第２のデータが前記第２の通信ネットワークの制御データである、請求項１に記載の通信端末。
【請求項６】
前記第１の所定の基準は、前記第１のデータの前記一部が前記第１のデータを再構築するのに十分であるという基準である、請求項１に記載の通信端末。
【請求項７】
前記第１の所定の基準は、前記第１のデータの前記一部のデータ量が所定の閾値を超えているという基準である、請求項１に記載の通信端末。
【請求項８】
異なる無線リソースを使用することによって、前記第１のデータは前記第１の通信チャネルを介して送信され、前記第２のデータは前記第２の通信チャネルを介して送信される、請求項１に記載の通信端末。
【請求項９】
異なる周波数帯域を使用することによって、前記第１のデータは前記第１の通信チャネルを介して送信され、前記第２のデータは前記第２の通信チャネルを介して送信される、請求項１に記載の通信端末。
【請求項１０】
前記第１のデータは前記第１の通信ネットワークのページングメッセージであり、前記第２のデータは前記第２の通信ネットワークのページングメッセージである、請求項１に記載の通信端末。
【請求項１１】
前記第１の通信ネットワークが、ＧＳＭ（登録商標）通信ネットワーク、ＵＭＴＳ通信ネットワーク、またはＬＴＥ通信ネットワークである、請求項１に記載の通信端末。
【請求項１２】
前記第２の通信ネットワークが、ＧＳＭ通信ネットワーク、ＵＭＴＳ通信ネットワーク、またはＬＴＥ通信ネットワークである、請求項１に記載の通信端末。
【請求項１３】
受信機を用いてデータを受信する方法であって、
第１の通信ネットワークの第１のネットワーク通信施設による第１のデータの送信が、第２のネットワーク通信施設による第２のデータの送信に重複する期間の第１の部分において、前記受信機が第１の通信チャネルを介して前記第１のネットワーク通信施設から第１のデータの一部を受信するように前記受信機を制御し、
前記期間の第２の部分において、前記受信機が第２の通信チャネルを介して第２のネットワーク通信施設から第２のデータの一部を受信し、前記期間の第１の部分と前記期間の第２の部分とは同一期間に含まれるとともに重複せず、前記期間の第１の部分において受信される第１のデータの前記一部が第１の所定の基準を満たすように、前記受信機を制御し、
前記期間の第１の部分は、前記期間の第２の部分に先行し、
前記第２のデータの前記一部が第２の所定の基準を満たす場合、前記第１のネットワーク通信施設からの第３のデータの送信が前記第２のネットワーク通信施設からの第４のデータの送信に重複する、さらなる期間の第１の部分において、前記受信機が前記第４のデータの一部を受信し、かつ、前記さらなる期間の第２の部分において、前記受信機が前記第３のデータの一部を受信し、さらに、前記さらなる期間の第１の部分と前記さらなる期間の第２の部分とは重複せず、前記さらなる期間の第１の部分が前記さらなる期間の第２の部分に先行するように、前記受信機を制御し、
前記第２の所定の基準が、前記第２のデータの前記一部が前記第２のデータを再構築するのに十分ではないという基準、または、前記第２のデータの前記一部のデータ量が所定の閾値未満であるという基準である、方法。
【請求項１４】
プロセッサによって実行されると、当該プロセッサが受信機を用いてデータを受信する方法を実行するという効果を奏する命令を備えたコンピュータプログラムであって、
前記方法は、
第１の通信ネットワークの第１のネットワーク通信施設による第１のデータの送信が、第２のネットワーク通信施設による第２のデータの送信に重複する期間の第１の部分において、前記受信機が第１の通信チャネルを介して前記第１のネットワーク通信施設から第１のデータの一部を受信するように前記受信機を制御し、
前記期間の第２の部分において、前記受信機が第２の通信チャネルを介して第２のネットワーク通信施設から第２のデータの一部を受信し、前記期間の第１の部分と前記期間の第２の部分とは同一期間に含まれるとともに重複せず、前記期間の第１の部分において受信される第１のデータの前記一部が第１の所定の基準を満たすように前記受信機を制御し、
前記期間の第１の部分は、前記期間の第２の部分に先行し、
前記第２のデータの前記一部が第２の所定の基準を満たす場合、前記第１のネットワーク通信施設からの第３のデータの送信が前記第２のネットワーク通信施設からの第４のデータの送信に重複する、さらなる期間の第１の部分において、前記受信機が前記第４のデータの一部を受信し、かつ、前記さらなる期間の第２の部分において、前記受信機が前記第３のデータの一部を受信し、さらに、前記さらなる期間の第１の部分と前記さらなる期間の第２の部分とは重複せず、前記さらなる期間の第１の部分が前記さらなる期間の第２の部分に先行するように、前記受信機を制御し、
前記第２の所定の基準が、前記第２のデータの前記一部が前記第２のデータを再構築するのに十分ではないという基準、または、前記第２のデータの前記一部のデータ量が所定の閾値未満であるという基準である、コンピュータプログラム。
【発明の詳細な説明】
【発明の詳細な説明】
【０００１】
〔関連出願の相互参照〕
本願は、ドイツ国特許出願第１０  ２０１０  ０１７  ８０６．３−３１号および米国特許仮出願第６１／３６２，３２７号（いずれも２０１０年７月８日に出願）に基づく優先権の利益を享受するものであり、いずれの出願の内容も全て参照によって本明細書に引用されるものとする。
【０００２】
〔技術分野〕
典型的な実施形態は、一般に、通信端末、データを受信する方法、およびコンピュータプログラム製品に関連する。
【０００３】
〔背景技術〕
セルラー移動通信ネットワークのための現代のハンドセットは、複数の加入者チップカードを同時に搭載でき、複数のセルラー移動通信ネットワークで同時に動作できる。このような加入者チップカードの例としては、ＧＳＭ（Global System for Mobile Communication）通信システムに用いられるＳＩＭ（Subscriber Identity Module）カード、ＵＭＴＳ（Universal Mobile Telecommunications System）通信システムに用いられるＵＳＩＭ（Universal Subscriber Identity Module）カード、これらカードの組み合わせなどがあげられる。
【０００４】
しかし、このようなハンドセット（一般に加入者用通信端末）が送受信ユニットを１台しか備えていない場合、複数のメッセージ（例えばページングメッセージ（paging message））が異なるセルラー移動通信ネットワークで同時に送信され、通信端末がすべてのメッセージを受信できないと、問題が発生する可能性がある。これにより、例えばページングメッセージの場合には、呼び出し要求（call request）に対して加入者が応答できないという事態が起こりうる。
【０００５】
したがって、複数の通信ネットワークによって送信され、データ送信が少なくとも部分的に重複するデータを受信できるようにすることが望ましい。
【０００６】
〔発明の概要〕
通信端末は、第１のチャネルまたは第２のチャネルを介してデータを受信するように構成された受信機と、第１の施設による第１のデータの送信が、第２の施設による第２のデータの送信に重複する期間の第１の部分において、受信機が第１のチャネルを介して第１のネットワークの第１の施設から第１のデータの一部を受信し、かつ、前記期間の第２の部分において、受信機が第２の通信チャネルを介して第２の施設から第２のデータの一部を受信し、前記期間の第１の部分と前記期間の第２の部分とは重複せず、前記期間の第１の部分において受信される第１のデータの前記一部が所定の基準を満たすように、受信機を制御するよう構成された制御器とを備えていればよい。
【０００７】
〔図面の簡単な説明〕
図面において、たとえ視点が異なっていても、同一の参照符号は一般に同一の部分を指す。図面は必ずしも尺度を正しく描いたものではなく、一般に各種の実施形態の原理を説明することに重点を置いている。以下の記載においては、各種の実施形態を、以下の図面を参照しながら説明する。
【０００８】
図１は、一実施形態に係る通信システムを示している。
【０００９】
図２は、一実施形態に係る通信端末を示している。
【００１０】
図３は、一実施形態に係る通信端末を示している。
【００１１】
図４は、一実施形態に係るフローチャートを示している。
【００１２】
図５は、一実施形態に係るフレーム図を示している。
【００１３】
図６の６Ａ〜６Ｄは、一実施形態に係るフレーム図を示している。
【００１４】
図７は、一実施形態に係るフローチャートを示している。
【００１５】
〔詳細な説明〕
以下の詳細な説明では、本発明が実施可能な具体的な詳細および形態を例示として示す添付の図面を参照する。
【００１６】
ここでは、“一例として”という言葉を“例、実例、または説明するもの”という意味で使用する。また、“一例として”記す実施形態または設計事項は、いずれも、他の実施形態または設計事項に比べて好ましいまたは好適であると解釈する必要はない。
【００１７】
以下の詳細な説明は、詳細および実施形態を示す添付の図面に関連している。これらの実施形態は、当業者が本発明を実施できる程度に詳細に記載されている。他の実施形態も可能であり、本発明の主題から逸脱することなく、構造的、論理的、および電気的に実施形態を変更可能である。各種の実施形態は必ずしも相互に排他的でなく、各種の実施形態を組み合わせて新しい実施形態を創作することもできる。
【００１８】
図１は、一実施形態に係る通信システム１００を示している。
【００１９】
この通信システム１００は、第１の通信ネットワークおよび第２の通信ネットワークというコンポーネントを有する。例えば、第１の通信ネットワークは、複数の基地局１０１、１０２（例えば、第１の基地局１０１および第２の基地局１０２）を有する。第１の基地局１０１は第１の無線セル１０３を動作させ、第２の基地局１０２は第２の無線セル１０４を動作させる。第１の基地局１０１および第２の基地局１０２は、第１の通信ネットワークの第１の基幹ネットワーク１０５に接続され、第１の無線セル１０３および第２の無線セル１０４内に位置する加入者端末に対して通信サービス（例えば第１の基幹ネットワーク１０５への通信リンク）を提供できる。
【００２０】
同様に、第２の通信ネットワークは、例えば複数の基地局１０６、１０７（例えば第３の基地局１０６および第４の基地局１０７）を有する。第３の基地局１０６は第３の無線セル１０８を動作させ、第４の基地局１０７は第４の無線セル１０９を動作させる。第３の基地局１０６および第４の基地局１０７は、第２の通信ネットワークの第２の基幹ネットワーク１１０に接続され、第３の無線セル１０８または第４の無線セル１０９内に位置する加入者端末に対して通信サービス（例えば第２の基幹ネットワーク１１０への無線リンク）を提供できる。
【００２１】
この例では、通信端末１１１は、第１の無線セル１０３および第３の無線セル１０８内に位置している。すなわち、通信端末１１１は、第１の基地局１０１および第３の基地局１０６のいずれによってもカバーされる（つまりサービスが提供される）領域内に位置している。したがって、通信端末１１１は、第１の通信ネットワークによって提供される通信サービスおよび第２の通信ネットワークによって提供される通信サービスのいずれも使用できる。例えば、通信端末１１１は、第１の通信ネットワーク（例えば第１の基幹ネットワーク１０５）および第２の通信ネットワーク（例えば第２の基幹ネットワーク１１０）の、いずれにおいても登録できる。これにより、通信端末１１１は、第１の通信ネットワークによって、例えば第１の通信ネットワークに接続されている他の通信端末から呼び出し（calls）を受信できる。また、通信端末１１１は、第２の通信ネットワークによって、例えば第２の通信ネットワークに接続されている他の通信端末から呼び出しを受信できる。
【００２２】
例えば、通信端末１１１は複数の加入者チップカード（換言すれば加入者モジュール）を備えているので、第１の通信ネットワークを介する通信も、第２の通信ネットワークを介する通信も、どちらもサポートする。これを図２に示す。
【００２３】
図２は、一実施形態に係る通信端末２００を示している。
【００２４】
通信端末２００は、例えば図１に示す通信システム１００の通信端末１１１に対応する。
【００２５】
本例では、通信端末２００は、第１の加入者モジュール２０１および第２の加入者モジュール２０２を備えている。例えば、第１の通信ネットワークはＧＳＭ（Global System for Mobile Communication）ネットワークである。また、第１の加入者モジュール２０１は、通信端末２００が第１の通信ネットワークを介して通信できるようにするＳＩＭ（Subscriber Identity Module）である。同様に、第２の通信ネットワークはＧＳＭネットワークであってもよく、第２の加入者モジュール２０２は、通信端末２００が第２の通信ネットワークを介して通信できるようにするＳＩＭであってもよい。加入者モジュール２０１、２０２は、その他の通信技術または通信ネットワーク標準規格に準拠した加入者モジュールであってもよい。例えば、これらの通信ネットワークのうちの一方がＵＭＴＳ（Universal Mobile Telecommunications System）ネットワークであれば、これらの加入者モジュールのうちの一方がＵＳＩＭ（Universal Subscriber Identity Module）であってもよい。加入者モジュール２０１、２０２は、例えばユーザによって通信端末２００内に挿入またはインストール可能な、対応するチップカード（例えばＳＩＭカード）を利用して実現されてもよい。
【００２６】
通信端末２００は、通信ネットワークからデータの受信を可能にし、通信ネットワークにデータの送信を可能にする（すなわち、第１の基地局１０１および第３の基地局１０６とデータ交換を可能にする）送信機／受信機（例えば送受信機）を備えている。
【００２７】
通信端末２００は、第１の通信ネットワーク（すなわち第１の基地局１０１）および第２の通信ネットワーク（すなわち第２の基地局１０６）からメッセージを同時に受信できるように、複数の送信機／受信機（例えば送受信機）を備えていてもよい。これにより、通信端末２００は、両方の通信ネットワークから、通信端末２００に同時に送信された例えばページングメッセージを受信できる。このように、例えば呼び出しリクエストを通信端末２００に確実に到達させることができる。すなわち、呼び出しリクエストの場合、たとえどちらか一方の通信ネットワークによるページングメッセージの送信が、もう一方の通信ネットワークによるデータの送信に重複しても、通信端末２００に確実に通知することができる。ただし、通信端末２００内で複数の送信機／受信機（例えば送受信機）を動作させると、１つの送信機／受信機（例えば送受信機）だけを動作させことに比べると、消費電力が増加するため、例えば１度の充電で作動できる時間が短くなる。すなわち、複数の送信機／受信機（例えば送受信機）を使用すると、１つの送信機／受信機（例えば送受信機）だけを使用する場合に比べて、通信端末２００を頻繁に充電しなければならなくなる。
【００２８】
一実施形態では、通信端末２００は、厳密に１つの（単一の）送信機／受信機（例えば送受信機）２０３を備えている、または常に１つの送信機／受信機（例えば送受信機）２０３だけが動作するようにする。ただし、第１の通信ネットワークからのデータの送信と第２の通信ネットワークからのデータの送信とが重複する場合には、例えばページングメッセージが重なっているのであれば、一方の通信ネットワークからのページングメッセージだけが受信される。これにより、通信端末２００は他方の通信ネットワークを利用できなくなる。すなわち、呼び出しリクエストが、他方の通信ネットワークを介して通信端末２００に到達しなくなる。換言すれば、１つの通信ネットワークだけからデータを受信する通信端末は、ある特定の地理的領域においては、その地理的領域が両方の通信ネットワークによってカバーされているのにもかかわらず、もう一方の通信ネットワークを利用できなくなることがある。
【００２９】
一実施形態によれば、１つの送信機／受信機（例えば送受信機）しか備えていない場合であって、かつ、第１のデータ送信が第２のデータ送信に少なくとも部分的に重複する場合であっても、第１の通信ネットワーク（例えば第１の基地局１０１などの第１のネットワーク通信施設）から第１のデータを受信し、第２の通信ネットワーク（例えば第３の基地局１０６などの第２のネットワーク通信施設）から第２のデータを受信することを可能にする通信端末が提供される。
【００３０】
本実施形態に係る通信端末の可能な実施形態を、図３に示す。
【００３１】
図３は、一実施形態に係る通信端末３００を示している。
【００３２】
通信端末３００は、第１の通信チャネルまたは第２の通信チャネルを介してデータを受信するように構成された受信機３０１を備えている。
【００３３】
さらに、通信端末３００は、第１の通信ネットワークの第１のネットワーク通信施設による第１のデータの送信が、第２のネットワーク通信施設による第２のデータの送信に重複する期間の第１の部分において、受信機３０１が前記第１の通信チャネルを介して前記第１のネットワーク通信施設から第１のデータの一部を受信し、かつ、前記期間の第２の部分において、受信機３０１が前記第２の通信チャネルを介して第２のネットワーク通信施設から第２のデータの一部を受信し、前記期間の第１の部分と前記期間の第２の部分とは重複せず、前記期間の第１の部分において受信される第１のデータの前記一部が所定の基準を満たすように、受信機３０１を制御するよう構成された制御器３０２を備えている。
【００３４】
具体的に説明すると、２つの通信ネットワークの送信が重複する期間の第１の部分に対応するデータが、第１の通信ネットワークによって受信される。受信したデータが特定の基準を満たせば（例えば、受信されたデータだけから端末が所望の情報を得られるのであれば）、当該期間の第２の部分において、第２の通信ネットワークからデータが受信される。基準が満たされれば、例えば第１の通信ネットワークがデータの送信に使用する第１の通信チャネルから、第２の通信ネットワークがデータの送信に使用する第２の通信チャネルに、受信機が切り替えられる。
【００３５】
第１の通信ネットワークまたは第２の通信ネットワークから送信されるデータの一部だけがこのように受信されたのであれば、前記基準は、例えば受信された部分から第１のデータの少なくとも再構築が可能となるように選択できる。例えば、ページングメッセージは、ページングメッセージの送信期間の一部だけの間に受信された信号から再構築可能である。これにより、例えば受信条件が良好であって、通信端末がスタンバイ状態にある場合に、両方の通信ネットワークにおける同時利用の可能性を向上させることができる。
【００３６】
例えば、前記通信端末は、前記第１のデータの前記一部から前記第１のデータを再構築するように構成された復号器をさらに備えている。
【００３７】
また、前記通信端末は、前記第２のデータの前記一部から前記第２のデータを再構築するように構成された復号器をさらに備えていてもよい。
【００３８】
前記第１のデータは、例えば第１の通信ネットワークの制御データである。
【００３９】
前記第２のデータは、例えば第２の通信ネットワークの制御データである。
【００４０】
前記所定の基準は、例えば前記第１のデータの前記一部が前記第１のデータを再構築するのに十分であるという基準である。
【００４１】
前記所定の基準は、前記第１のデータの前記一部のデータ量が所定の閾値を超えているという基準であってもよく、例えばある特定の量の第１のデータがうまく（例えばエラーなく）受信されたという基準であってもよい。
【００４２】
一実施形態によれば、異なる無線リソースを使用することにより、前記第１のデータは前記第１の通信チャネルを介して送信され、前記第２のデータは前記第２の通信チャネルを介して送信される。例えば、異なる周波数帯域を使用することにより、前記第１のデータは前記第１の通信チャネルを介して送信され、前記第２のデータは前記第２の通信チャネルを介して送信される。これに応じて、受信機は、例えば異なる無線リソース（例えば複数の周波数や周波数域）を使用することによってデータを受信するように構成される。
【００４３】
前記第１のデータは、例えば前記第１の通信ネットワークのページングメッセージであり（つまり呼び出しメッセージを形成し）、前記第２のデータは、例えば前記第２の通信ネットワークのページングメッセージである（つまり呼び出しメッセージを形成する）。
【００４４】
前記期間の第１の部分は、例えば前記期間の第２の部分に先行する。換言すれば、例えば、第１のデータの第１の部分が受信され、次に基準が満たされると、受信機は切り替えられて第２のデータを受信する（例えば、搬送波の周波数を調節することによって、第２の通信チャネルに合わせられる）。
【００４５】
一実施形態によれば、前記制御器は、前記第２のデータの前記一部がさらなる所定の基準を満たす場合、前記第１のネットワーク通信施設からの第３のデータの送信が前記第２のネットワーク通信施設からの第４のデータの送信に重複する、さらなる期間の第１の部分において、前記受信機が前記第４のデータの一部を受信し、かつ、前記さらなる期間の第２の部分において、前記受信機が前記第３のデータの一部を受信し、さらに、前記さらなる期間の第１の部分と前記さらなる期間の第２の部分とは重複せず、前記さらなる期間の第１の部分が前記さらなる期間の第２の部分に先行するように、前記受信機を制御するようにさらに構成されている。
【００４６】
換言すれば、例えば第２のデータの受信された部分がさらなる別の基準を満たす場合（例えば第２のデータの受信された部分だけからでは第２のデータが再構築できない場合）には、次の送信において”順序を逆にする”。すなわち、第１の通信ネットワークからの第３のデータと第２の通信ネットワークからの第４のデータとが重なり合う送信では、まず第４のデータの一部を第２の通信ネットワークから先に受信し、その後、第３のデータの一部を第１の通信ネットワークから受信する。例えば、第２の通信ネットワークから受信されたメッセージの一部だけからでは、当該メッセージが再構築できないのであれば、当該メッセージの次の送信が第１の通信ネットワークによるデータの送信に重複しても、当該メッセージの次の送信の間に受信が開始される。
【００４７】
したがって、前記さらなる所定の基準は、例えば、前記第２のデータの前記一部は前記第２のデータを再構築するのに十分ではないという基準であるか、または受信された前記一部のデータ量が、データの受信量について所定の閾値未満であるという基準である。
【００４８】
前記第１の通信ネットワークは、例えばＧＳＭ通信ネットワーク、ＵＭＴＳ通信ネットワーク、またはＬＴＥ通信ネットワークである。同様に、第２の通信ネットワークは、例えばＧＳＭ通信ネットワーク、ＵＭＴＳ通信ネットワーク、またはＬＴＥ通信ネットワークである。
【００４９】
通信端末３００は、例えば図４に示す方法を実行する。
【００５０】
図４は一実施形態に係るフローチャート４００を示している。
【００５１】
このフローチャートは、受信機を利用してデータを受信する方法を示している。
【００５２】
４０１では、第１の通信ネットワークの第１のネットワーク通信施設による第１のデータの送信が、第２のネットワーク通信施設による第２のデータの送信に重複する期間の第１の部分において、受信機が第１の通信チャネルを介して前記第１のネットワーク通信施設から第１のデータの一部を受信するように受信機が制御される。
【００５３】
４０２では、前記期間の第２の部分において、前記受信機が第２の通信チャネルを介して第２のネットワーク通信施設から第２のデータの一部を受信し、前記期間の第１の部分と前記期間の第２の部分とは重複せず、前記期間の第１の部分において受信される第１のデータの前記一部が所定の基準を満たすように受信機が制御される。
【００５４】
一実施形態によれば、プロセッサによって実行されると、当該プロセッサが図４に図示する方法を実行するという効果を奏する命令を備えた、コンピュータプログラム製品が提供される。
【００５５】
通信端末との関連において記載される実施形態は、データを受信する方法およびコンピュータプログラム製品にも同様に適用される。
【００５６】
以下の説明では、図５を参照しながら、重複する期間における第１のデータの送信および第２のデータの送信の一例について説明する。
【００５７】
図５は、一実施形態に係るフレーム図を示している。
【００５８】
本例では、第１の無線セル１０３を動作させる第１の基地局１０１が、第１のフレーム構造５０１にしたがってデータを送信すると仮定する。また、第３の無線セル１０８を動作させる第３の基地局１０６が、第２のフレーム構造５０２にしたがってデータを送信すると仮定する。
【００５９】
本例では、それぞれ０〜５０の通し番号を付した５１個の（無線）フレームをそれぞれ有する複数のマルチフレーム５０３〜５１２において、フレーム構造５０１、５０２にしたがって、データが送信される。
【００６０】
第１の基地局１０１に送信される第１のデータは、第１のフレーム構造５０１の各第２のマルチフレーム５０３、５０５、５０７（さらに厳密には、第１のデータの送信期間５１３〜５１５を形成する、各第２のマルチフレーム５０３、５０５、５０７の番号１２〜１５を付されたフレーム）の間に送信されると仮定する。さらに、第３の基地局１０６に送信される第２のデータは、第２のフレーム構造５０２の各第４のマルチフレーム５０８、５１２（さらに厳密には、第２のデータの送信期間５１６、５１７を形成する各第４のマルチフレーム５０３、５０５、５０７の番号６〜９を付されたフレーム）の間に送信されると仮定する。
【００６１】
図５に示すように、本例では、第１のフレーム構造５０１は、例えば第１のデータの第１の送信期間５１３が第２のデータの第２の送信期間５１６に重複するように、第２のフレーム構造５０２に対してずれているとさらに仮定する。
【００６２】
これにより、第１の送信期間５１３と第２の送信期間５１６とからなる期間、またはこれらに加えて第１の送信期間５１３と第２の送信期間５１６とが重複する期間を、第１のデータの送信が第２のデータの送信に重複する送信期間とみなすことができる。
【００６３】
本例では、送信期間５１３〜５１７のそれぞれが４つの連続するフレームを有すると仮定する。第１の送信期間５１３の４つのフレームおよび第２の送信期間５１６の４つのフレームは、さまざまな態様で重複可能である。以下の記載では、図６の６Ａ〜６Ｄを参照しながら実施例について説明する。
【００６４】
図６の６Ａ〜６Ｄは、一実施形態に係るフレーム図６０１〜６０８を示している。
【００６５】
本例では、フレーム図６０１、６０３、６０５、および６０７は、第１の送信期間５１３に対応するフレームを示している。また、フレーム図６０２、６０４、６０６、および６０８は、第２の送信期間５１６に対応するフレームを示している。
【００６６】
各フレーム図６０１〜６０８は、第１の送信期間５１３について通し番号ｎ〜ｎ＋３を付されたフレームを示し、第２の送信期間５１６について通し番号ｍ〜ｍ＋３を付されたフレームを示している。本例では、各フレームが８つのタイムスロットを有し、タイムスロットはそれぞれの場合において通し番号０〜７を付されている。
【００６７】
本実施形態では、第１のデータおよび第２のデータは、バースト送信される（transmitted in bursts）。特に、番号０を付されたタイムスロットに取り消し線で示すように、第１のデータは第１の送信期間５１３に対応するフレーム図６０１、６０３、６０５、６０７のフレームの、番号０を付されたタイムスロットにおいてのみ送信され、かつ、第２のデータは第２の送信期間５１６に対応するフレーム図６０２、６０４、６０６、６０８のフレームの、番号０を付されたタイムスロットにおいてのみ送信されると仮定する。
【００６８】
図示のように、第１のデータの送信は第２のデータの送信に、少なくとも部分的に重複する。
【００６９】
以下の記載では、通信端末２００がどのようにして第１のデータおよび第２のデータを少なくとも部分的に受信するのかについて、例をあげて説明する。
【００７０】
処理過程について、図７を参照しながら説明する。
【００７１】
図７は、一実施形態に係るフローチャート７００を示している。
【００７２】
最初に、図６の６Ａに係る例の処理過程について説明する。この場合、第１のフレーム図６０１のフレームの、番号０を付されたタイムスロットが、第２のフレーム図６０２のフレームの、番号０を付されたタイムスロットに部分的に重複する。
【００７３】
この場合、通信端末２００は、７０１において、自身の送信機／受信機（例えば送受信機）を、第１の通信ネットワークからデータを（例えば第１の通信チャネルに基づいて）受信できるように設定する。また、第１のデータの受信を開始する。
【００７４】
７０２において、通信端末２００は、受信された第１のデータの一部が所定の基準を満たすと、本例においては、受信された当該第１のデータの一部が、第１のフレーム図６０１のフレームにおいて送信される第１のデータのブロックを再構築するために十分であるか否かを検出する。
【００７５】
本例では、（第１のフレーム図６０１において斜線によるハッチングで示す）番号ｎ、ｎ＋１、およびｎ＋２を付されたフレームにおいて受信された第１のデータの一部が、第１のデータを再構築するのに十分と仮定する。
【００７６】
ここで、７０３において第１のデータの受信を停止し、送信機／受信機（例えば送受信機）２０３を、第２の通信ネットワークからデータを（例えば第２の通信チャネルに基づいて）受信できるように設定し、第２のデータの受信を開始する。
【００７７】
第２のデータは、例えば第２の送信期間の最後まで、またはさらなる基準が満たされるまで（例えば、第２のデータの受信された一部が、第２のフレーム図６０２のフレームにおいて送信される第２のデータのブロックを再構築するのに十分になるまで）受信される。本例では、（第２のフレーム図６０２において斜線によるハッチングで示す）第２のフレーム図６０２の番号ｍ＋３を付されたフレームにおいて送信される第２のデータの一部が受信される。
【００７８】
なお、これに関連して、１つのマルチフレーム５０３、５０５、５０７だけにおいて送信されるデータ（例えば１つのメッセージ）、および数個のマルチフレーム５０３、５０５、５０７において送信されるデータ（例えば数個のメッセージ）を、第１のデータとみなすことができる。同様に、１つのマルチフレーム５０８、５１２だけにおいて送信されるデータ（例えば１つのメッセージ）、および２つのマルチフレーム５０８、５１２において送信されるデータ（例えば数個のメッセージ）を、第２のデータとみなすこともできる。
【００７９】
図６の６Ｂに係る例では、第３のフレーム図６０３のフレームの、番号０を付されたタイムスロットが、第４のフレーム図６０４のフレームの、番号０を付されたタイムスロットに部分的にさらに重複する。
【００８０】
この場合、通信端末２００は、７０１において、自身の送信機／受信機（例えば送受信機）を、第１の通信ネットワークからデータを（例えば第１の通信チャネルに基づいて）受信できるように設定する。また、第１のデータの受信を開始する。
【００８１】
７０２において、通信端末２００は、受信された第１のデータの一部が所定の基準を満たすと、本例においては、受信された当該第１のデータの一部が、第３のフレーム図６０３のフレームにおいて送信される第１のデータのブロックを再構築するために十分であるか否かを検出する。
【００８２】
本例では、（第３のフレーム図６０３において斜線によるハッチングで示す）番号ｎ、ｎ＋１を付されたフレームにおいて受信された第１のデータの一部が、第１のデータを再構築するために十分と仮定する。
【００８３】
ここで、７０３において第１のデータの受信を停止し、７０４において第２の通信ネットワークからデータを（例えば第２の通信チャネルに基づいて）受信できるように送信機／受信機（例えば送受信機）２０３を設定し、第２のデータの受信を開始する。
【００８４】
第２のデータは、例えば第２の送信期間の最後まで、またはさらなる基準が満たされるまで（例えば、第２のデータの受信された一部が、第４のフレーム図６０４のフレームにおいて送信される第２のデータのブロックを再構築するために十分となるまで）受信される。本例では、（第４のフレーム図６０４において斜線によるハッチングで示す）第４のフレーム図６０４の番号ｍ＋２およびｍ＋３を付されたフレームにおいて送信される第２のデータの一部が受信される。
【００８５】
図６の６Ｃに係る例では、第５のフレーム図６０５のフレームの、番号０を付されたタイムスロットが、第６のフレーム図６０６のフレームの、番号０を付されたタイムスロットにさらに部分的に重複する。
【００８６】
この場合、通信端末２００は、７０１において第１の通信ネットワークからデータを（例えば第１の通信チャネルに基づいて）受信できるように、自身の送信機／受信機（例えば送受信機）を設定する。また、第１のデータの受信を開始する。
【００８７】
７０２において、通信端末２００は、受信された第１のデータの一部が所定の基準を満たすと、本例においては、受信された当該第１のデータの一部が、第３のフレーム図６０１のフレームにおいて送信される第１のデータのブロックを再構築するために十分であるか否かを検出する。
【００８８】
本例では、（第５のフレーム図６０５において斜線によるハッチングで示す）番号ｎを付されたフレームにおいて受信された第１のデータの一部が、第１のデータを再構築するために十分と仮定する。
【００８９】
ここで、７０３において第１のデータの受信を停止し、７０４において第２の通信ネットワークからデータを（例えば第２の通信チャネルに基づいて）受信できるように送信機／受信機（例えば送受信機）２０３を設定し、第２のデータの受信を開始する。第２のデータは、例えば第２の送信期間の最後まで、またはさらなる基準が満たされるまで（例えば、第２のデータの受信された一部が、第６のフレーム図６０６のフレームにおいて送信された第２のデータのブロックを再構築するために十分になるまで）受信される。本例では、（第６のフレーム図６０６において斜線によるハッチングで示す）第２のフレーム図６０２の番号ｍ＋１、ｍ＋２、および、ｍ＋３を付されたフレームにおいて送信される第２のデータの一部が受信される。
【００９０】
図６の６Ｄに係る例では、第７のフレーム図６０７のフレームｎ＋１、ｎ＋２、およびｎ＋３を有するフレームの、番号０を付されたタイムスロットが、第８のフレーム図６０８の、番号ｍ、ｍ＋１、およびｍ＋２を付されたフレームの、番号０を付されたタイムスロットにさらに部分的に重複する。この例は、一方のネットワークのブロックの４つ未満のフレームが、もう一方のネットワークのブロックのフレームに重複する、他の配置を表わす。
【００９１】
この場合、通信端末２００は、７０１において第１の通信ネットワークからデータを（例えば第１の通信チャネルに基づいて）受信できるように、自身の送信機／受信機（例えば送受信機）を設定する。また、第１のデータの受信を開始する。
【００９２】
７０２において、通信端末２００は、受信された第１のデータの一部が所定の基準を満たすと、本例においては、受信された当該第１のデータの一部が、（第７のフレーム図６０７において斜線によるハッチングで示すように）第３のフレーム図６０１のフレームにおいて送信される第１のデータのブロックを再構築するために十分であるか否かを検出する。
【００９３】
本例では、番号ｎ、ｎ＋１、およびｎ＋２を付されたフレームにおいて受信された第１のデータの一部が、第１のデータを再構築するために十分と仮定する。
【００９４】
ここで、７０３において第１のデータの受信を停止し、７０４において第２の通信ネットワークからデータを（例えば第２の通信チャネルに基づいて）受信できるように送信機／受信機（例えば送受信機）２０３を設定し、第２のデータの受信を開始する。
【００９５】
第２のデータは、例えば第２の送信期間の最後まで、またはさらなる基準が満たされるまで（例えば、第２のデータの受信された一部が、第８のフレーム図６０８のフレームにおいて送信される第２のデータのブロックを再構築するために十分となるまで）受信される。本例では、（第８のフレーム図６０８において斜線によるハッチングで示す）第８のフレーム図６０８の番号ｍ＋２およびｍ＋３を付されたフレームにおいて送信される第２のデータの一部が受信される。
【００９６】
上記の説明のように、第１のデータの受信から第２のデータの受信へ切り替えるか否かを決定する基準は、第１のデータの受信された一部が第１のデータを再構築するために十分であるという基準であってもよい。このデータの一部が十分であるか否かは、例えば第１のデータの前記一部が受信された品質に依存してもよい。
【００９７】
第１のデータの前記一部が第１のデータを再構築するために十分であれば、７０５において、第１のデータが第１のデータの前記一部に基づいて再構築される。同様に、第２のデータは、第２のデータの前記一部が再構築に十分であれば、第２のデータの前記一部から再構築可能である。
【００９８】
データは、データの一部からさまざまな態様で再構築可能である。例えば、データがページングメッセージであり、通信ネットワークがＧＳＭ通信ネットワークである場合、ＧＳＭ送信技術においては、約４．６１５ｍｓの間隔でなされる４回にわたる約５７７μｓのバーストでページングメッセージを送信できる。この場合、データ情報は、レートが１／２のビタビコーデックを用いて冗長性を確保して送信される、すなわち、１データビット当たり２つの符号化ビットが送信される。符号化ビットはバースト全体に分布（インターリーブ）しているので、データビットは４回未満のバーストから再構築可能である。このプロセスでは、未知のビットに対して０〜１の値が仮定される。これにより、ページングメッセージに関して４回未満のバーストによるデータだけを受信する場合であっても、そのページングメッセージを再構築できる。また、ここで説明したように、たとえその送信が重複していても、このように複数のネットワークのページングメッセージを受信および再構築できる。
【００９９】
以下の記載では、それ自体が公知の方法を用いて、第１のバーストだけからＧＳＭに係るダミーのページングメッセージをどのようにして認識し、再構築できるのかについて、一例をあげてさらに詳細に説明する。一実施形態では、ダミーのページングメッセージを任意のバーストから認識するために、この方法を一般化する。これにより、第２の通信ネットワークからのダミーのページングメッセージを、例えば図６の６Ａのように、番号ｍ＋３を付されたフレームの受信バーストから認識できるようになる。ダミーのページングメッセージのペイロードデータ（payload data）は６バイトであり、さらに１７バイトが１６進数の２Ｂという値で占められている。インデックス３を有するバイトは、「Ｍ」で表わされる「ページモード」である。０、１、２、および、３の４つのタイプのページモードがある。
【０１００】
「Ｍ」が０であれば、通信端末２００は、ダミーのページングメッセージを無視してもかまわない。
【０１０１】
ほとんどの場合、基地局は「Ｍ」が０に等しいＧＳＭ通信ネットワークにおいて、ダミーのページングメッセージを送信する。以下の記載では、このようなページングメッセージを、すでに１回のバーストが起こった後にどのようにして認識できるのか、そして例えば１つのタイムスロットだけにおいてページングメッセージを受信した後に受信を停止させることができるのか、および、もう一方の通信ネットワークからデータを受信することができるように切り替えることができるのかについて説明する。
【０１０２】
ダミーのページングメッセージを送信するために、スクランブリング（scrambling）の後、４５６ビットが４セットの１１４ビットのバーストに分割される。第１のバースト転送（以下の説明ではＢｕｒｓｔ０とも称する）は、ラインベクトルＢｕｒｓｔ０（ｎ）（ただしｎ＝１、２、．．．、１１３）と呼ばれることもある。Ｂｕｒｓｔ０（ｎ）の要素を組み合わせて、Ｂｕｒｓｔ０（ｎ）の８８個の要素（ビット）を有する１つのベクトルａとベクトルＢｕｒｓｔ０（ｎ）の２６ビットを有する１つのベクトルｂとを生成してもよい。具体的に記載すれば、ａは、ａ＝Ｂｕｒｓｔ０（０、１、２、３、４、５、６、８、９、１０、１３、１５、１７、１８、１９、２０、２２、２３、２４、２５、２７、２９、３１、３２、３３、３４、３６、３７、３８、３９、４１、４３、４４、４５、４６、４７、４８、５０、５１、５２、５３、５４、５５、５７、５８、５９、６０、６１、６２、６４、６６、６７、６８、６９、７１、７２、７３、７５、７６、７８、８０、８１、８２、８３、８５、８６、８７、８８、８９、９０、９２、９４、９５、９６、９７、９９、１００、１０１、１０２、１０３、１０４、１０５、１０６、１０８、１０９、１１０、１１１、１１３）によって規定される。また、ｂは、ｂ＝Ｂｕｒｓｔ０（７、１１、１２、１４、１６、２１、２６、２８、３０、３５、４０、４２、４９、５６、６３、６５、７０、７４、７７、７９、８４、９１、９３、９８，１０７，１１２）によって規定される。
【０１０３】
８８ビット長のベクトルａは、ａ１＝［１０１０００００１０１１１０１００１０００００００００１００１１１１０１００１０００００１０１００００００１１１１１０００００００１００００００００１１０１１１０１００００００］となるはずである。
【０１０４】
２６ビット長のベクトルは、「Ｍ」が０に等しいのであれば、ベクトルｂ１＝［００１０００００１０００１１０１１０１１０１０１００］とベクトルｂ２＝［０１１１０１０１１０１００００００１１００００００１］とのうちの一方に等しいはずである。
【０１０５】
通信端末２００がページングメッセージの第１のバーストを受信したときに、ベクトルａ１、ｂ１、およびｂ２を比較のために使用可能となるように、これらのベクトルａ１、ｂ１、およびｂ２を通信端末２００のメモリ２０４に記憶する。
【０１０６】
ダミーのページングメッセージを検出するために、量子化した第１のバーストの１１４個の値を、例えば第１のステップにおいて、１と０とで置き換える。例えば、ベクトルＲＢｕｒｓｔ０（ｎ）によって表わされる第１のバーストの１１４個の要素がＮビットで量子化され、ビタビイコライザーを通った後に−２Ｎ−１〜−２Ｎ−１−１の値を取るのであれば、すべての負の要素を１に置き換える。また、正の値または０に等しいすべての要素を０に置き換える。その後、ＲＢｕｒｓｔ０（ｎ）ベクトルの当該置き換えた要素を記憶し、要素ａ１、ｂ１、およびｂ２と比較して、対応する確率を決定する。例えば、（ａ１およびｂ１またはｂ２のそれぞれの場合において）ある特定の閾値を超える複数の要素における対応関係の場合には、ページモードが０であるダミーのページングメッセージが存在すると判定される。対応関係が不十分であれば（例えば、対応する要素の個数が閾値未満であれば）、例えばページングメッセージの次のバーストを受信する。
【０１０７】
ページングメッセージを端末で検出する必要はなく、すでに復号化されている。しかし、それ自体が公知である別の方法によれば、このページングメッセージを再度復号化して使用し、ページングメッセージの第１のバーストで始まる入力部分と比較してもよい。これにより、端末がこのページングメッセージを無視してもかまわないか否かを、ページングメッセージの受信された一部に基づいてすでに判定できるようになる。一実施形態では、ダミーのページングメッセージを任意のバーストから認識するために、この方法を一般化する。これにより、第２の通信ネットワークからのダミーのページングメッセージを、例えば図６の６Ｂのように、フレームｍ＋２およびｍ＋３のバーストから認識できるようになる。
【０１０８】
その他の場合にも、第１のデータが完全に受信されなければ、それ自体が公知である方法により、第１のデータは第１のバーストで始まる第１のデータの一部から再構築可能である。一実施形態では、任意のバーストのページングメッセージを認識するために、この方法を一般化する。これにより、第２の通信ネットワークからのページングメッセージを、例えば図６の６Ｂに係るフレームｍ＋２およびｍ＋３のバーストから認識できるようになる。送信品質が良好であるため（欠測データに加えて）送信エラーがそれほど多くない場合、通信端末は、例えば４回未満のバーストから、ページングメッセージ（必ずしもダミーのページングメッセージではない）を、使用されているコーディングやスクランブリング方式の構造の基礎の上に再構築できる。この目的のために、（受信されなかった）欠測ビットを、基地局によって省略された（すなわち削除された、または送信されなかった）かのように処理してもよい。これらのビットについては、ビタビ復号器によって欠測ビットと認識され、復号化プロセス中ではウエートが与えられない特殊な値（いわゆる「消去」）が使用される。具体的に説明すると、この復号化は、通常はコードのレートに依存する使用コードのエラー訂正能力に応じて成功するか否かが決まる、欠測ビットのエラー補正とみなすことができる。復号化の後に、例えばパリティビットを利用することによって、メッセージを正しく再構築することが可能であったか否か、またはメッセージを復号可能にするためにはメッセージの次の部分（例えば次のバースト）を受信しなければならないか否かをチェックすることが可能である。
【０１０９】
上述の実施形態によれば、例えば２つのＧＳＭ通信ネットワークからの、時間的に重複するページングメッセージが受信可能である。一実施形態では、通信端末は、同一ＧＳＭ通信ネットワークの２つのＳＩＭカードを有し（すなわち、例えば電話番号も２つある）、上記実施形態と同様に、この通信ネットワークの時間的に重複する（すなわち送信過程が時間的に重複する）が、異なるチャネルを介して送信されるページングメッセージを受信できる。
【０１１０】
一実施形態によれば、時間的に重複するページングメッセージを３つ以上の通信ネットワークから同時に受信することを可能にする拡張機能が提供される、例えば３つのページングメッセージの送信が重複するのであれば、まず最初に第１のページングメッセージの一部を、上述の手順と同様に、受信したデータの量が第１のページングメッセージを再構築するために十分になるまで受信し、その後、第２のページングメッセージの一部を、受信したデータの量が第２のページングメッセージを再構築するために十分になるまで受信し、最後に第３のページングメッセージの一部を受信すればよい。
【０１１１】
上述の手順は、別のメッセージにも（例えば、送信が重複する、ページングメッセージおよびシステム情報メッセージ、または、１つ以上の通信ネットワーク（例えばＧＳＭ通信ネットワーク）のセルブロードキャストメッセージの受信にも）適用可能である。
【０１１２】
さらに、上述の手順を使用して、端末のさまざまな作動状態においてメッセージを受信できる（例えば、あるＳＩＭカードに関してはスタンバイ状態でページングメッセージを受信し、専用の送信の間に、例えば別のＳＩＭカードに関する呼び出し状態で、送信が重複するメッセージを受信できる）。
【０１１３】
さらに、各種実施形態はＧＳＭ通信ネットワークに対する適用に制限されるものではなく、ＵＭＴＳやＬＴＥ（Long Term Evolution）などの、その他の標準規格の通信ネットワークにも適用可能である。
【０１１４】
本発明について、主に特定の実施形態を参照しながら記載および説明してきたが、本技術分野の当業者であれば、下記の請求項によって規定される本発明の本質および技術分野から逸脱することなく、設計および詳細について多数の変更が実施可能であることが理解できるであろう。したがって、本発明の範囲は添付の請求項によって決定され、文言上の意味の範囲内、または請求項に等価な事項の範囲内における変更は、すべてが包含されることを意図するものである。
【図面の簡単な説明】
【０１１５】
【図１】一実施形態に係る通信システムを示す図である。
【図２】一実施形態に係る通信端末を示す図である。
【図３】一実施形態に係る通信端末を示す図である。
【図４】一実施形態に係るフローチャートである。
【図５】一実施形態に係るフレーム図である。
【図６】６Ａ〜６Ｄは、一実施形態に係るフレーム図である。
【図７】一実施形態に係るフローチャートである。
【図１】
0005553800.tif 000002
【図２】
0005553800.tif 000003
【図３】
0005553800.tif 000004
【図４】
0005553800.tif 000005
【図５】
0005553800.tif 000006
【図６】
0005553800.tif 000007
【図７】
0005553800.tif 000008